(57)【特許請求の範囲】
【請求項１】
ユーザ端末と、取引情報サーバと、前記ユーザ端末および前記取引情報サーバとネットワークを介して無線通信接続される管理サーバであって、
前記ユーザ端末がユーザから検証画面に含まれる判定入力領域の数値および増加予想タブの押下入力を受け付け、且つ、履歴データを参照し判定終了時刻のチャートの数値が判定開始時刻の数値より高い場合に、または、前記ユーザ端末が前記ユーザから前記判定入力領域の数値および減少予想タブの押下入力を受け付け、且つ、履歴データを参照し判定終了時刻のチャートの数値が判定開始時刻の数値より低い場合に、判定結果の内容を正解として一時記憶する判定部を有し、
前記判定部は、前記ユーザ端末がユーザから前記判定入力領域の数値および増加予想タブの押下入力を受け付け、且つ、履歴データを参照し判定終了時刻のチャートの数値が判定開始時刻の数値より低い場合に、または、前記ユーザ端末が前記ユーザから前記判定入力領域の数値および減少予想タブの押下入力を受け付け、且つ、履歴データを参照し判定終了時刻のチャートの数値が判定開始時刻の数値より高い場合に、判定結果の内容を不正解として一時記憶し、
前記判定部は、前記判定終了時刻のチャートの数値と前記判定開始時刻のチャートの数値との差、および前記判定入力領域に入力された数値から損益額を算出して一時記憶する、
管理サーバ。
【請求項２】
請求項１に記載の管理サーバにおいて、
ユーザ情報記憶部から取得した前記ユーザ情報に含まれる検証情報を抽出し、抽出した前記検証情報の各項目の内容に対応する取引情報を取引情報記憶部から取得し、取得した前記取引情報に含まれる履歴データを抽出し、前記検証情報と前記履歴データとに基づいて検証画面を生成し、前記検証画面を検証画面記憶部に記憶させる検証画面生成部と、
生成した前記検証画面を前記ユーザ端末に提供する検証画面提供部と、を有する、
管理サーバ。
【請求項３】
請求項１または請求項２に記載の管理サーバにおいて、
検証画面記憶部から取得した検証画面と前記ユーザ端末から取得した増加予想タブまたは減少予想タブの入力情報とに基づいて第一判定結果画面を生成し、前記検証画面と判定部から取得した判定結果および損益額とに基づいて第二判定結果画面を生成し、前記第一判定結果画面と前記第二判定結果画面とを判定結果画面記憶部に記憶させる判定結果画面生成部と、
生成した前記第一判定結果画面を前記ユーザ端末に提供し、生成した前記第二判定結果画面を、前記第一判定結果画面を提供してから所定の判定所要時刻が経過後に前記ユーザ端末に提供する判定結果画面提供部と、を有する、
管理サーバ。
【請求項４】
ユーザ端末と、取引情報サーバと、前記ユーザ端末および前記取引情報サーバとネットワークを介して無線通信接続される管理サーバとを有するバイナリーオプション取引の検証方法であって、
前記管理サーバが、前記ユーザ端末からユーザ情報を取得および記憶する工程と、
前記管理サーバが、前記取引情報サーバから取引情報を取得および記憶する工程と、
前記ユーザ端末がユーザから検証画面に含まれる判定入力領域の数値および増加予想タブの押下入力を受け付け、且つ、履歴データを参照し判定終了時刻のチャートの数値が判定開始時刻の数値より高い場合に、または、前記ユーザ端末が前記ユーザから前記判定入力領域の数値および減少予想タブの押下入力を受け付け、且つ、履歴データを参照し判定終了時刻のチャートの数値が判定開始時刻の数値より低い場合に、前記管理サーバが、判定結果の内容を正解として一時記憶する工程と、
前記ユーザ端末がユーザから前記判定入力領域の数値および増加予想タブの押下入力を受け付け、且つ、履歴データを参照し判定終了時刻のチャートの数値が判定開始時刻の数値より低い場合に、または、前記ユーザ端末が前記ユーザから前記判定入力領域の数値および減少予想タブの押下入力を受け付け、且つ、履歴データを参照し判定終了時刻のチャートの数値が判定開始時刻の数値より高い場合に、前記管理サーバが、判定結果の内容を不正解として一時記憶する工程と、
前記管理サーバが、前記判定終了時刻のチャートの数値と前記判定開始時刻のチャートの数値との差、および前記判定入力領域に入力された数値から損益額を算出して一時記憶する工程と、を有する、
バイナリーオプション取引の検証方法。
【請求項５】
請求項４に記載のバイナリーオプション取引の検証方法において、
前記管理サーバが、ユーザ情報記憶部から取得した前記ユーザ情報に含まれる検証情報を抽出し、抽出した前記検証情報の各項目の内容に対応する取引情報を取引情報記憶部から取得し、取得した前記取引情報に含まれる履歴データを抽出し、前記検証情報と前記履歴データとに基づいて検証画面を生成し、前記検証画面を検証画面記憶部に記憶させる工程と、
前記管理サーバが、生成した前記検証画面を前記ユーザ端末に提供する工程と、を有する、
バイナリーオプション取引の検証方法。
【請求項６】
請求項４または請求項５に記載のバイナリーオプション取引の検証方法において、
前記管理サーバが、検証画面記憶部から取得した検証画面と前記ユーザ端末から取得した増加予想タブまたは減少予想タブの入力情報とに基づいて第一判定結果画面を生成し、前記検証画面と判定部から取得した判定結果および損益額とに基づいて第二判定結果画面を生成し、前記第一判定結果画面と前記第二判定結果画面とを判定結果画面記憶部に記憶させる工程と、
前記管理サーバが、生成した前記第一判定結果画面を前記ユーザ端末に提供し、生成した前記第二判定結果画面を、前記第一判定結果画面を提供してから所定の判定所要時刻が経過後に前記ユーザ端末に提供する工程と、を有する、
バイナリーオプション取引の検証方法。
【発明の詳細な説明】
【技術分野】
【０００１】
本発明は、管理サーバおよびバイナリーオプション取引の検証方法に関する。
【背景技術】
【０００２】
従来、インターネットの普及に伴い、ネット上でＦＸ取引を行うことが可能となり、多くの証券会社がネット上での取引サイトを運営している。しかし、個人投資家などＦＸ取引に慣れていない人にとっては、いきなり実際のＦＸ取引を行うことには抵抗があるという問題があった。
【先行技術文献】
【特許文献】
【０００３】
【特許文献１】特開２００２−４９７５９号公報
【発明の概要】
【発明が解決しようとする課題】
【０００４】
例えば、特許文献１には、ほぼリアルタイムで仮想取引を行うことが可能な仮想投資シミュレーション装置および仮想投資シミュレーション方法が開示されている。
【０００５】
しかし、特許文献１は、実際に過去の相場で取引された情報を利用してバイナリーオプション取引のシミュレーションを行う検証方法について意図しているものではない。
【０００６】
本発明の目的は、実際に過去の相場で取引された情報のうち、ユーザに所望の期間を指定させて取引のシミュレーションを行わせることが可能なバイナリーオプション取引の検証方法を提供することである。
【課題を解決するための手段】
【０００７】
本願において開示される発明のうち、代表的なものの概要を簡単に説明すれば、次の通りである。
【０００８】
本発明の一実施の形態は、ユーザ端末１００と、取引情報サーバ１１０と、ユーザ端末１００および取引情報サーバ１１０とネットワークを介して無線通信接続される管理サーバ１２０であって、ユーザ端末１００がユーザから検証画面７００に含まれる判定入力領域７５０の数値および増加予想タブ７５１の押下入力を受け付け、且つ、履歴データ３１０を参照し判定終了時刻のチャートの数値が判定開始時刻の数値より高い場合に、または、ユーザ端末１００がユーザから判定入力領域７５０の数値および減少予想タブ７５２の押下入力を受け付け、且つ、履歴データ３１０を参照し判定終了時刻のチャートの数値が判定開始時刻の数値より低い場合に、判定結果１０００の内容を正解として一時記憶する判定部１６０を有する。また、判定部１６０は、ユーザ端末１００がユーザから判定入力領域７５０の数値および増加予想タブ７５１の押下入力を受け付け、且つ、履歴データ３１０を参照し判定終了時刻のチャートの数値が判定開始時刻の数値より低い場合に、または、ユーザ端末１００がユーザから判定入力領域７５０の数値および減少予想タブ７５２の押下入力を受け付け、且つ、履歴データ３１０を参照し判定終了時刻のチャートの数値が判定開始時刻の数値より高い場合に、判定結果１０００の内容を不正解として一時記憶し、判定部１６０は、判定終了時刻のチャートの数値と判定開始時刻のチャートの数値との差、および判定入力領域７５０に入力された数値から損益額１０１０を算出して一時記憶する。
【発明の効果】
【０００９】
本発明によれば、ユーザは、実際に過去の相場で取引された情報のうち、所望の期間を指定してバイナリーオプション取引の検証を行うことができる。
【図面の簡単な説明】
【００１０】
【図１】本発明の一実施の形態におけるバイナリーオプション取引の検証システムの構成例の概要を示す図である。
【図２】本発明の一実施の形態における管理サーバのユーザ情報記憶部に記憶されているユーザ情報および検証情報の概要を示す図である。
【図３】本発明の一実施の形態における管理サーバの取引情報記憶部に記憶されている取引情報および履歴データの概要を示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における取引情報取得処理および取引情報記憶処理の概要を示す図である。
【図７】本発明の一実施の形態における検証画面の概要を示す図である。
【図８】本発明の一実施の形態における検証画面生成処理の概要を示す図である。
【図９】本発明の一実施の形態における検証画面提供処理の概要を示す図である。
【図１０】本発明の一実施の形態における判定処理の概要を示す図である。
【図１１】本発明の一実施の形態における判定結果画面の概念を示す図である。
【図１２】本発明の一実施の形態における判定結果画面生成処理の概要を示す図である。
【図１３】本発明の一実施の形態における判定結果画面提供処理の概要を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態におけるバイナリーオプション取引の検証システムの構成例の概要を示す図である。
【００１２】
図１に示されるように、バイナリーオプション取引の検証システムは、ユーザ端末１００と、取引情報サーバ１１０と、ユーザ端末１００および取引情報サーバ１１０とネットワークを介して無線通信接続される管理サーバ１２０とを有する。
【００１３】
管理サーバ１２０は、ユーザ情報記憶部１３０と、取引情報記憶部１３１と、検証画面記憶部１３２と、判定結果画面記憶部１３３と、検証画面生成部１４０と、検証画面提供部１５０と、判定部１６０と、判定結果画面生成部１７０と、判定結果画面提供部１８０と、を有する。
【００１４】
なお、管理サーバ１２０は、ユーザ情報記憶部１３０を内部に有さない構成としても良い。その場合、管理サーバ１２０は周知の為替チャットツールにユーザ情報２００の取得および記憶を行わせる。その後、後述する検証画面７００および判定結果画面１１００をユーザに提供する際に、管理サーバ１２０は該為替チャットツールからユーザ情報２００を抽出する。このようにして、管理サーバ１２０は、ユーザ情報記憶部１３０を内部に有さない場合でも、検証画面７００および判定結果画面１１００をユーザに提供できる。
【００１５】
ユーザ情報記憶部１３０には、ユーザ情報２００（後述、図２）が記憶されている。取引情報記憶部１３１には、取引情報３００（後述、図３）が記憶されている。検証画面記憶部１３２には、検証画面７００（後述、図７）が記憶されている。判定結果画面記憶部１３３には、第一判定結果画面１１００および第二判定結果画面１２００（後述、図１１）が記憶されている。
【００１６】
検証画面生成部１４０は、ユーザ情報記憶部１３０から取得したユーザ情報２００に含まれる検証情報２１０を抽出し、抽出した検証情報２１０の各項目の内容に対応する取引情報３００を取引情報記憶部１３１から取得し、取得した取引情報３００に含まれる履歴データ３１０を抽出し、検証情報２１０と履歴データ３１０とに基づいて検証画面７００を生成し、検証画面７００を検証画面記憶部１３２に記憶させる。
【００１７】
検証画面提供部１５０は、生成された検証画面７００をユーザ端末１００に提供する。
【００１８】
判定部１６０は、ユーザ端末１００がユーザから検証画面７００に含まれる判定入力領域７５０の数値および増加予想タブ７５１の押下入力を受け付け、且つ、履歴データ３１０を参照し判定終了時刻のチャートの数値が判定開始時刻の数値より高い場合に、または、ユーザ端末１００がユーザから判定入力領域７５０の数値および減少予想タブ７５２の押下入力を受け付け、且つ、履歴データ３１０を参照し判定終了時刻のチャートの数値が判定開始時刻の数値より低い場合に、判定結果１０００の内容を正解として一時記憶する。
【００１９】
また、判定部１６０は、ユーザ端末１００がユーザから判定入力領域７５０の数値および増加予想タブ７５１の押下入力を受け付け、且つ、履歴データ３１０を参照し判定終了時刻のチャートの数値が判定開始時刻の数値より低い場合に、または、ユーザ端末１００がユーザから判定入力領域７５０の数値および減少予想タブ７５２の押下入力を受け付け、且つ、履歴データ３１０を参照し判定終了時刻のチャートの数値が判定開始時刻の数値より高い場合に、判定結果１０００の内容を不正解として一時記憶する。
【００２０】
また、判定部１６０は、判定終了時刻のチャートの数値と判定開始時刻のチャートの数値との差、および判定入力領域７５０に入力された数値から損益額１０１０を算出して一時記憶する。
【００２１】
判定結果画面生成部１７０は、検証画面記憶部１３２から取得した検証画面７００とユーザ端末１００から取得した増加予想タブ７５１または減少予想タブ７５２の入力情報とに基づいて第一判定結果画面１１００を生成し、検証画面７００と判定部１６０から取得した判定結果１０００および損益額１０１０とに基づいて第二判定結果画面１２００を生成し、第一判定結果画面１１００と第二判定結果画面１２００とを判定結果画面記憶部１３３に記憶させる。
【００２２】
判定結果画面提供部１８０は、生成した第一判定結果画面１１００をユーザ端末１００に提供し、生成した第二判定結果画面１２００を、第一判定結果画面１１００を提供してから所定の判定所要時刻が経過後にユーザ端末１００に提供する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２３】
図２（ａ）に示されるように、ユーザ情報２００は、ユーザＩＤと、氏名と、連絡先と、性別と、住所と、検証情報２１０などのデータ項目により構成される。
【００２４】
ユーザＩＤは、管理サーバ１２０が、ユーザを識別するための符号を示す。氏名は、ユーザの氏名を示す。連絡先は、ユーザの連絡先を示す。性別は、ユーザの性別を示す。住所は、ユーザの住所を示す。検証情報２１０は、ユーザ端末１００がユーザから入力を受け付けることで取得する取引についての検証の条件を示す（詳細は後述する）。なお、以下「取引」とは、いわゆるＦＸ取引の一種である「バイナリーオプション取引」を含む為替取引を示す。
【００２５】
図２（ｂ）は、本発明の一実施の形態における管理サーバ１２０のユーザ情報記憶部１３０に記憶されているユーザ情報２００に含まれる検証情報２１０の構成例の概要を示す図である。検証情報２１０は、ユーザＩＤ、ログイン日程、ログイン時刻、通貨ペア、検証期間、等の情報を示す。
【００２６】
「ログイン日程」は、ユーザが本発明に係るシステムにログインした日にちを示す。
【００２７】
「ログイン時刻」は、ユーザが本発明に係るシステムにログインした時刻を示す。
【００２８】
「通貨ペア」は、ユーザが希望する検証に係る為替取引に使用される２つの通貨の組み合わせを示す。例えば、通貨ペアは「米ドル/円」等である。
【００２９】
「検証期間」は、ユーザが検証を希望する期間を示す。検証期間は、過去の所定の期間であっても良いし、現在の所定の期間としても良い。このようにして、管理サーバ１２０は、ユーザに過去の実際のレートでの検証、もしくは現在のリアルタイムのレートでの検証を行わせることができる。
【００３０】
例えば、検証期間は、「２０１０年５月１日から２０１０年６月３０日」としても良い。また、検証期間は、「２０１９年１月１日から２０２２年１月１日」としても良い。
【００３１】
このようにして、管理サーバ１２０は、過去または現在の実際の取引相場のうち、検証を希望する条件および期間をユーザに指定させたうえで、検証させることができる。
【００３２】
すなわち、プログラムが適当に作成したシミュレーション等ではなく、実際に過去の相場で取引されたリアルな情報のうち所望の期間を指定して取引の検証が可能となり、ユーザは、自己の取引手法について現実性の高い分析や評価を行うことができる。
【００３３】
例えば、実際に過去の相場で取引された情報のうち、ユーザが「５分間」を指定して短期間の取引の検証ができ、ユーザは、自己が有する「短期間の取引手法」について現実性の高い分析や評価を行うことができる。
【００３４】
すなわち、この場合、5分区切りで検証終了時刻になり、例えば、「20:30:00」にエントリーした場合の検証終了時刻は「20:35」であり、「20:32:52」にエントリーした場合の検証終了時刻は「20:35」であり、「20:33:23」にエントリーした場合の検証終了時刻は「20:35」となる。
【００３５】
その他、ユーザが中期間の取引の検証を希望する場合、6〜9分区切りで検証終了時刻になり、例えば、「20:32:12」にエントリーした場合の検証終了時刻は「20:40」であり、「20:33:53」にエントリーした場合の検証終了時刻は「20:40」となる。
【００３６】
また、ユーザが長期間の取引の検証を希望する場合、10〜15分区切りで検証終了時刻になり、例えば、「20:32:34」にエントリーした場合の検証終了時刻は「20:45」であり、「20:33:49」にエントリーした場合の検証終了時刻は「20:45」となる。
＜取引情報記憶部＞
図３（ａ）は、本発明の一実施の形態における管理サーバ１２０の取引情報記憶部１３１に記憶されている取引情報３００の構成例の概要を示す図である。
【００３７】
図３（ａ）に示されるように、取引情報３００は、通貨ペアと、モデルと、スプレッドと、履歴データ３１０などのデータ項目により構成される。
【００３８】
モデルは、検証の種類を示す。スプレッドは、取引の際に発生する買値と売値との価格差を示す。履歴データ３１０は、取引情報サーバ１１０から取得する取引についてのユーザの検証に対応する条件を示す（詳細は後述する）。
【００３９】
図３（ｂ）は、本発明の一実施の形態における管理サーバ１２０の取引情報記憶部１３１に記憶されている取引情報３００に含まれる履歴データ３１０の構成例の概要を示す図である。履歴データ３１０は、通貨ペア、取引日程、チャート、インジケータ、等の情報を示す。
【００４０】
「取引日程」は、実際に過去の取引市場で行われた為替取引の日にちを示す。
【００４１】
「チャート」は、実際に過去の取引市場で行われた為替取引の値すなわち、取引日程・時刻ごとに記録されている各値を示す。
【００４２】
「インジケータ」は、為替のチャートから新たに数値を割り出しエントリーの補助をするデータを示す。
＜全体処理＞
図４は、本発明の一実施の形態における全体処理の概要を示す図である。
【００４３】
まず、Ｓ４０１にて、管理サーバ１２０はユーザ情報取得処理およびユーザ情報記憶処理（図５で後述する）を行う。
【００４４】
次に、Ｓ４０２にて、管理サーバ１２０は取引情報取得処理および取引情報記憶処理（図６で後述する）を行う。
【００４５】
次に、Ｓ４０３にて、管理サーバ１２０は検証画面生成処理（図７、図８で後述する）を行う。
【００４６】
次に、Ｓ４０４にて、管理サーバ１２０は検証画面提供処理（図９で後述する）を行う。
【００４７】
次に、Ｓ４０５にて、管理サーバ１２０は判定処理（図１０で後述する）を行う。
【００４８】
次に、Ｓ４０６にて、管理サーバ１２０は判定結果画面生成処理（図１１、図１２で後述する）を行う。その後、Ｓ４０７にて、管理サーバ１２０は判定結果画面提供処理（図１３で後述する）を行う。
【００４９】
なお、ユーザが再検証を希望する場合、管理サーバ１２０はＳ４０１の工程へ進行する。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００５０】
まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイに表示させる。
【００５１】
その後、ユーザが本発明に係るシステムを初めて利用する場合、または、検証情報２１０を変更（再検証）する場合、Ｓ５０３にて、ユーザ端末１００は、ユーザ情報２００の入力をユーザから受け付ける。なお、この際ユーザから受け付けたユーザ情報２００は、検証情報２１０を含む。
【００５２】
次に、Ｓ５０４にて、ユーザ端末１００は、Ｓ５０３で入力を受け付けたユーザ情報２００を管理サーバ１２０に送信する。
【００５３】
次に、Ｓ５０５にて、管理サーバ１２０は、Ｓ５０４で送信されたユーザ情報２００を受信することにより、ユーザ情報２００を取得する。次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００５４】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
【００５５】
次に、Ｓ５０８にて、ユーザ端末１００は、Ｓ５０７で入力を受け付けたユーザＩＤを管理サーバ１２０に送信する。
【００５６】
その後、Ｓ５０９にて、管理サーバ１２０は、Ｓ５０８で送信されたユーザＩＤのキーに対応するユーザ情報２００をユーザ情報記憶部１３０から取得する。
＜取引情報取得処理および取引情報記憶処理＞
図６は、本発明の一実施の形態における取引情報取得処理および取引情報記憶処理の概要を示す図である。以下、管理サーバ１２０が、取引情報３００を取得および記憶する方法について説明する。
【００５７】
まず、Ｓ６０１にて、管理サーバ１２０は、Ｓ５０５またはＳ５０９でユーザ情報２００を取得した後、取引情報３００の取得リクエストを取引情報サーバ１１０に要求する。
【００５８】
次に、Ｓ６０２にて、取引情報サーバ１１０は、取引情報３００の取得リクエストを受け付け、所定時間毎に自動更新される最新の取引情報３００を各国および地域の所定の機関等から取得し記憶する。
【００５９】
次に、Ｓ６０３にて、取引情報サーバ１１０は、Ｓ６０２で記憶した取引情報３００を管理サーバ１２０に送信する。
【００６０】
次に、Ｓ６０４にて、管理サーバ１２０は、Ｓ６０３で送信された取引情報３００を受信することにより、取引情報３００を取得する。次に、Ｓ６０５にて、管理サーバ１２０は、Ｓ６０４にて取得した取引情報３００を取引情報記憶部１３１に記憶する。
＜検証画面＞
図７は、本発明の一実施の形態における検証画面７００の概要を示す図である。
【００６１】
図７に示されるように、検証画面７００は、チャート表示領域７１０と、チャート７２０と、検証開始タブ７３０と、検証終了タブ７４０と、判定入力領域７５０と、増加予想タブ７５１と、減少予想タブ７５２と、判定タブ７６０と、を含む。検証画面７００は、ユーザ端末１００に表示される。
【００６２】
チャート表示領域７１０は、Ｓ６０４で管理サーバ１２０によって取得された取引情報３００のうち、ユーザが指定した検証期間、通貨ペア等の条件に対応するチャート７２０を表示させる。なお、チャート表示領域７１０の表示のさせ方については特に限定されない。
【００６３】
チャート７２０は、実際に過去の取引市場で行われた為替取引の値のうち、ユーザが指定した検証期間、通貨ペア等の条件に対応する数値を示す。
【００６４】
検証開始タブ７３０は、ユーザが取引の検証をするための期間の開始日を指定するためのタブを示す。すなわち、検証開始タブ７３０がユーザから数値入力および押下入力を受け付けることにより、管理サーバ１２０は、取引の検証をするための期間の開始日を指定する。
【００６５】
検証終了タブ７４０は、ユーザが取引の検証をするための期間の終了日を指定するためのタブを示す。すなわち、検証終了タブ７４０がユーザから数値入力および押下入力を受け付けることにより、管理サーバ１２０は、取引の検証をするための期間の終了日を指定する。
【００６６】
判定入力領域７５０は、ユーザが希望する購入金額および判定の種別を表示するためのタブを示す。すなわち、判定入力領域７５０がユーザから数値入力および押下入力を受け付けることにより、管理サーバ１２０は、ユーザが希望する購入金額および判定の種別を表示させる。
【００６７】
例えば、判定入力領域７５０がユーザから「購入金額：１００００円」の数値入力および「増加予想タブ７５１」の押下入力を受け付けることにより、管理サーバ１２０は、ユーザが希望する当該購入金額および判定の種別を表示させる。
【００６８】
増加予想タブ７５１は、ユーザが、判定終了時刻のチャートの数値が判定開始時刻の数値より高いと予想する場合に、ユーザからの入力を受け付けるためのタブを示す。なお、判定開始時刻と判定終了時刻の詳細については、後述する。
【００６９】
減少予想タブ７５２は、ユーザが、判定終了時刻のチャートの数値が判定開始時刻の数値より低いと予想する場合に、ユーザからの入力を受け付けるためのタブを示す。
【００７０】
判定タブ７６０は、管理サーバ１２０がユーザの予想を判定するためのタブを示す。すなわち、判定タブ７６０がユーザから押下入力を受け付けることにより、管理サーバ１２０は、判定を開始させる。すなわち、管理サーバ１２０は、判定部１６０にユーザが所望する検証について判定処理を要求する。なお、判定タブ７６０の表示のさせ方については特に限定されない。
【００７１】
このようにして、管理サーバ１２０は、後述の処理により、判定結果１０００や損益額１０１０を算出できる。
【００７２】
また、検証画面７００は、勝率や、検証回数、検証履歴等の情報を表示させる領域を有するようにしてもよい。
＜検証画面生成処理＞
図８は、本発明の一実施の形態における検証画面生成処理の概要を示す図である。
【００７３】
まず、Ｓ８０１にて、管理サーバ１２０の検証画面生成部１４０は、検証画面７００の生成に要するユーザ情報２００をユーザ情報記憶部１３０から取得する。
【００７４】
次に、Ｓ８０２にて、検証画面生成部１４０は、Ｓ８０１で取得したユーザ情報２００に含まれる検証情報２１０を抽出する。
【００７５】
次に、Ｓ８０３にて、検証画面生成部１４０は、Ｓ８０２で抽出した検証情報２１０の各項目の内容に対応する取引情報３００を取引情報記憶部１３１から取得する。
【００７６】
例えば、Ｓ８０１で取得した検証情報２１０の項目のうち、「通貨ペア：ＵＳＤＪＰＹ」となっている場合、通貨ペアがＵＳＤＪＰＹとなっている取引情報３００を抽出する。
【００７７】
また、例えば、Ｓ８０１で取得した検証情報２１０の項目のうち、「検証期間：２０１０年５月１０日９時００分〜２０１０年５月１０日１２時００分」となっている場合、「取引日程：２０１０年５月１０日」となっている履歴データ３１０を抽出する。
【００７８】
このようにして、管理サーバ１２０は、ユーザの希望する条件をみたす取引のみを検証結果に反映した検証画面７００を生成できる。すなわち、管理サーバ１２０は、ユーザに所望の取引を検証させることができる。
【００７９】
次に、Ｓ８０４にて、検証画面生成部１４０は、Ｓ８０３で取得した取引情報３００に含まれる履歴データ３１０を抽出する。
【００８０】
次に、Ｓ８０５にて、検証画面生成部１４０は、Ｓ８０２で抽出した検証情報２１０と、Ｓ８０４で抽出した履歴データ３１０とに基づいて検証画面７００を生成する。
【００８１】
次に、Ｓ８０６にて、検証画面生成部１４０は、Ｓ８０５で生成した検証画面７００を検証画面記憶部１３２に記憶する。
【００８２】
次に、Ｓ８０７にて、検証画面生成部１４０は、検証画面７００の提供を検証画面提供部１５０に要求する。
＜検証画面提供処理＞
図９は、本発明の一実施の形態における検証画面提供処理の構成例の概要を示す図である。
【００８３】
まず、Ｓ９０１にて、管理サーバ１２０の検証画面提供部１５０は、Ｓ８０７で要求された検証画面７００の提供リクエストを受け付ける。
【００８４】
次に、Ｓ９０２にて、検証画面提供部１５０は、Ｓ８０６で記憶された検証画面７００を検証画面記憶部１３２から抽出する。
【００８５】
次に、Ｓ９０３にて、検証画面提供部１５０は、Ｓ９０２で抽出した検証画面７００を提供したいユーザＩＤに対応するユーザ情報２００をユーザ情報記憶部１３０から抽出する。
【００８６】
次に、Ｓ９０４にて、検証画面提供部１５０は、Ｓ９０３で抽出した検証画面７００をユーザ端末１００に提供する。
【００８７】
次に、Ｓ９０５にて、ユーザ端末１００は、Ｓ９０４で管理サーバ１２０から提供された検証画面７００を、端末のディスプレイに表示させる。
【００８８】
次に、Ｓ９０６にて、ユーザ端末１００は、ユーザから判定入力領域７５０の数値入力および増加予想タブ７５１または減少予想タブ７５２の押下入力を受け付けることにより、ユーザが所望する検証を選択する。
【００８９】
次に、Ｓ９０７にて、ユーザ端末１００は、ユーザから判定タブ７６０の押下入力を受付けたか否かを判定する。ユーザから判定タブ７６０の押下入力を受付けた場合、ユーザ端末１００は、工程Ｓ９０８へ進行する。ユーザから判定タブ７６０の押下入力を受付けない場合、ユーザ端末１００は、工程Ｓ９０９へ進行する。
【００９０】
Ｓ９０８にて、ユーザ端末１００は、判定指示を管理サーバ１２０に送信する。その後、管理サーバ１２０は、ユーザが所望する検証について判定処理を判定部１６０に要求する。
【００９１】
次に、Ｓ９０９にて、ユーザ端末１００は、ユーザから開始タブ７３０および終了タブ７４０の数値の変更の入力を受付けたか否かを判定する。ユーザから開始タブ７３０および終了タブ７４０の押下入力を受付けた場合、ユーザ端末１００は、工程Ｓ９１０へ進行する。ユーザから開始タブ７３０および終了タブ７４０の押下入力を受付けない場合、ユーザ端末１００は、本工程を終了する。
【００９２】
Ｓ９１０にて、ユーザ端末１００は、再読込指示を管理サーバ１２０に送信する。その後、管理サーバ１２０は、ユーザによって変更された検証期間で取引情報３００の再読込を行うため工程Ｓ８０３へ進行し、以降Ｓ８０７までを行う。
【００９３】
このようにして、管理サーバ１２０は、所望の検証期間について取引情報をユーザに容易に把握させることができる。また、検証画面７００が判定タブ７６０を有することで、管理サーバ１２０は、ユーザに所望のタイミングで取引の判定を行わせる検証サービスを提供できる。
【００９４】
また、検証画面７００が検証開始タブ７３０と検証終了タブ７４０とを有することで、管理サーバ１２０は、ユーザに検証期間を適宜変更させて取引の再検証が可能な検証サービスを提供できる。
【００９５】
上記特性により、ユーザは、複数の異なる検証期間に対して自己の取引手法を適用させて分析や評価を行うことができ、自己の取引手法の精度をより向上できる。
＜判定処理＞
図１０は、本発明の一実施の形態における判定処理の概要を示す図である。
【００９６】
まず、Ｓ１００１にて、管理サーバ１２０の判定部１６０は、Ｓ９０８で要求された判定処理のリクエストを受け付ける。
【００９７】
次に、Ｓ１００２にて、判定部１６０は、Ｓ９０６でユーザからの押下入力を受付けた時刻を「判定開始時刻ｔ」として一時的に記憶する。なお、判定開始時刻ｔは、ユーザから判定タブ７６０の押下入力を受け付けた時刻を示す。
【００９８】
次に、Ｓ１００３にて、判定部１６０は、ｔから所定の判定所要時刻ａだけ経過した時刻を「判定終了時刻ｕ」として一時的に記憶する。所定の判定所要時刻ａは、例えば、「３秒」等とする。すなわち、この場合、判定終了時刻ｕは、ユーザから判定タブ７６０の押下入力を受け付けた時刻から３秒経過した時の時刻を示す。なお、所定の判定所要時刻ａは、予め設定可能な時間であり、その値は適宜変更できる。
【００９９】
次に、Ｓ１００４にて、Ｓ９０６でユーザから判定入力領域７５０の数値入力および増加予想タブ７５１の押下入力を受付けたか否かを判定する。ユーザから判定入力領域７５０の数値入力および増加予想タブ７５１の押下入力を受付けた場合、判定部１６０は、Ｓ１００５の工程へ進行する。
【０１００】
また、ユーザから判定入力領域７５０の数値入力および増加予想タブ７５１の押下入力を受付けない場合、すなわち、ユーザから判定入力領域７５０の数値入力および減少予想タブ７５２の押下入力を受付けた場合、判定部１６０は、Ｓ１００６の工程へ進行する。
【０１０１】
Ｓ１００５にて、判定部１６０は、Ｓ８０４で抽出した履歴データ３１０を参照し、判定終了時刻ｕの時点のチャートの数値が判定開始時刻ｔの時点の数値より高いか否かを判定する。判定終了時刻ｕの時点のチャートの数値が判定開始時刻ｔの時点の数値より高い場合、判定部１６０は、Ｓ１００７の工程へ進行する。判定終了時刻ｕの時点のチャートの数値が判定開始時刻ｔの時点の数値より低い場合、判定部１６０は、Ｓ１００８の工程へ進行する。
【０１０２】
Ｓ１００６にて、判定部１６０は、Ｓ８０４で抽出した履歴データ３１０を参照し、判定終了時刻ｕの時点のチャートの数値が判定開始時刻ｔの時点の数値より低いか否かを判定する。判定終了時刻ｕの時点のチャートの数値が判定開始時刻ｔの時点の数値より低い場合、判定部１６０は、Ｓ１００７の工程へ進行する。判定終了時刻ｕの時点のチャートの数値が判定開始時刻ｔの時点の数値より高い場合、判定部１６０は、Ｓ１００８の工程へ進行する。
【０１０３】
Ｓ１００７にて、判定部１６０は、判定結果１０００の内容を「正解」として一時的に記憶する。
【０１０４】
Ｓ１００８にて、判定部１６０は、判定結果１０００の内容を「不正解」として一時的に記憶する。
【０１０５】
Ｓ１００９にて、判定部１６０は、判定終了時刻ｕの時点の数値と判定開始時刻ｔの時点の数値との差、および判定入力領域７５０に入力された数値から、損益額１０１０を算出し一時的に記憶する。
【０１０６】
例えば、判定部１６０は、「（判定入力領域７５０に入力された数値×１．８５）−判定入力領域７５０に入力された数値」を損益額１０１０として算出できる。
【０１０７】
次に、Ｓ１０１０にて、判定部１６０は、第一判定結果画面１１００の生成を判定結果画面生成部１７０に要求する。
【０１０８】
このように、抽出した履歴データ３１０を参照し、判定終了時刻ｕの時点のチャートの数値が判定開始時刻ｔの時点の数値より高いか低いかによって正解か不正解かを判定することで、管理サーバ１２０は、実際に過去の相場で取引されたリアルな情報のうち所望の期間を指定させて取引の検証が可能となり、ユーザに、自己の取引手法について現実性の高い分析や評価を行わせることができる。
＜判定結果画面＞
図１１は、本発明の一実施の形態における判定結果画面の概要を示す図である。なお、  図１１（ａ）は、本発明の一実施の形態における第一判定結果画面１１００の概要を示す図である。図１１（ｂ）は、本発明の一実施の形態における第二判定結果画面１２００の概要を示す図である。
【０１０９】
図１１（ａ）に示されるように、第一判定結果画面１１００は、増減予想表示アイコン１１１０と、判定開始時刻表示領域１１２０と、判定開始時表示ライン１１３０と、判定終了時表示ライン１１４０と、を含む。第一判定結果画面１１００は、ユーザ端末１００に表示される。
【０１１０】
増減予想表示アイコン１１１０は、Ｓ９０６でユーザ端末１００が入力を受付けた増加予想または減少予想を表示させる。
【０１１１】
すなわち、Ｓ９０６でユーザ端末１００が増加予想タブ７５１の押下入力を受付けた場合、増減予想表示アイコン１１１０は、例えば、「ＨＩＧＨ」等の文字によるアイコンを表示させる。
【０１１２】
また、Ｓ９０６でユーザ端末１００が減少予想タブ７５２の押下入力を受付けた場合、増減予想表示アイコン１１１０は、例えば、「ＬＯＷ」等の文字によるアイコンを表示させる。なお、増減予想表示アイコン１１１０の表示のさせ方については特に限定されない。
【０１１３】
判定開始時刻表示領域１１２０は、ユーザから判定タブ７６０の押下入力を受け付けることで一時記憶された判定開始時刻ｔを表示する。なお、判定開始時刻表示領域１１２０の表示のさせ方については特に限定されない。
【０１１４】
判定開始時表示ライン１１３０は、チャート表示領域７１０において判定開始時刻ｔを時系列で表示させるためのラインを示す。
【０１１５】
判定終了時表示ライン１１４０は、チャート表示領域７１０において判定終了時刻ｕを時系列で表示させるためのラインを示す。
【０１１６】
図１１（ｂ）に示されるように、第二判定結果画面１２００は、判定結果表示アイコン１２１０と、判定終了時刻表示領域１２２０と、判定終了時表示ライン１１４０と、を含む。第二判定結果画面１２００は、ユーザ端末１００に表示される。
【０１１７】
判定結果表示アイコン１２１０は、Ｓ１００９で判定部１６０が算出した判定結果１０００または損益額１０１０を表示させる。
【０１１８】
すなわち、Ｓ１００９で判定部１６０が算出した判定結果１０００が「正解」の場合、判定結果表示アイコン１２１０は、例えば、「○」等の文字によるアイコンを表示させる。
【０１１９】
また、Ｓ１００９で判定部１６０が算出した判定結果１０００が「不正解」の場合、判定結果表示アイコン１２１０は、例えば、「×」等の文字によるアイコンを表示させる。なお、判定結果表示アイコン１２１０の表示のさせ方については特に限定されない。
【０１２０】
判定終了時刻表示領域１２２０は、Ｓ１００３で判定部１６０に一時記憶された判定の終了時刻ｕを表示する。なお、判定終了時刻表示領域１２２０の表示のさせ方については特に限定されない。
【０１２１】
このようにして、管理サーバ１２０は、第一判定結果画面１１００が有する増減予想表示アイコン１１１０により、ユーザに自己の増減予想を容易に確認させることができる。
【０１２２】
また、管理サーバ１２０は、第二判定結果画面１２００が有する判定結果表示アイコン１２１０により、ユーザに自己の増減予想の判定結果を容易に把握させることができる。
＜判定結果画面生成処理＞
図１２は、本発明の一実施の形態における判定結果画面生成処理の概要を示す図である。
【０１２３】
まず、Ｓ１２０１にて、管理サーバ１２０の判定結果画面生成部１７０は、Ｓ１０１０で要求された第一判定結果画面１１００の生成リクエストを受け付け、生成に要する検証画面７００を検証画面記憶部１３２から取得する。
【０１２４】
次に、Ｓ１２０２にて、判定結果画面生成部１７０は、Ｓ９０６でユーザから受付けた増加予想タブ７５１または減少予想タブ７５２の入力情報を、ユーザ端末１００から取得する。
【０１２５】
次に、Ｓ１２０３にて、判定結果画面生成部１７０は、Ｓ１２０１で取得した検証画面７００と、Ｓ１２０２で取得した入力情報とに基づいて、第一判定結果画面１１００を生成する。
【０１２６】
次に、Ｓ１２０４にて、判定結果画面生成部１７０は、判定部１６０がＳ１００７またはＳ１００８で一時記憶した判定結果１０００と、Ｓ１００９で一時記憶した損益額１０１０とを判定部１６０から取得する。
【０１２７】
次に、Ｓ１２０５にて、判定結果画面生成部１７０は、Ｓ１２０１で取得した検証画面７００と、Ｓ１２０４で取得した判定結果１０００と、損益額１０１０とに基づいて第二判定結果画面１２００を生成する。
【０１２８】
次に、Ｓ１２０６にて、判定結果画面生成部１７０は、Ｓ１２０３で生成した第一判定結果画面１１００と、Ｓ１２０５で生成した第二判定結果画面１２００とを判定結果画面記憶部１３３に記憶する。
【０１２９】
次に、Ｓ１２０７にて、判定結果画面生成部１７０は、第一判定結果画面１１００の提供を判定結果画面提供部１８０に要求する。
＜判定結果画面提供処理＞
図１３は、本発明の一実施の形態における判定結果画面提供処理の構成例の概要を示す図である。
【０１３０】
まず、Ｓ１３０１にて、管理サーバ１２０の判定結果画面提供部１８０は、Ｓ１２０７で要求された第一判定結果画面１１００の提供リクエストを受け付ける。
【０１３１】
次に、Ｓ１３０２にて、判定結果画面提供部１８０は、提供したい第一判定結果画面１１００を判定結果画面記憶部１３３から抽出する。
【０１３２】
次に、Ｓ１３０３にて、判定結果画面提供部１８０は、Ｓ１３０２で抽出した第一判定結果画面１１００を提供したいユーザＩＤに対応するユーザ情報２００をユーザ情報記憶部１３０から抽出する。
【０１３３】
次に、Ｓ１３０４にて、判定結果画面提供部１８０は、Ｓ１３０２で抽出した第一判定結果画面１１００をユーザ端末１００に提供する。
【０１３４】
次に、Ｓ１３０５にて、ユーザ端末１００は、Ｓ１３０４で管理サーバ１２０から提供された第一判定結果画面１１００を、端末のディスプレイに表示させる。
【０１３５】
次に、Ｓ１３０６にて、判定結果画面提供部１８０は、Ｓ１３０４の処理である第一判定結果画面１１００の提供から所定の時間ａだけ経過後にユーザ端末１００に提供したい第二判定結果画面１２００を、判定結果画面記憶部１３３から抽出する。
【０１３６】
次に、Ｓ１３０７にて、判定結果画面提供部１８０は、Ｓ１３０６で抽出した第二判定結果画面１２００を、第一判定結果画面１１００の提供から所定の時間ａだけ経過後にユーザ端末１００に提供する。
【０１３７】
次に、Ｓ１３０８にて、ユーザ端末１００は、Ｓ１３０７で管理サーバ１２０から提供された第二判定結果画面１２００を、端末のディスプレイに表示させる。
【０１３８】
このようにして、管理サーバ１２０は、第一判定結果画面１１００が有する増減予想表示アイコン１１１０により、ユーザに自己の増減予想を容易に確認させることができる。
【０１３９】
また、管理サーバ１２０は、第二判定結果画面１２００が有する判定結果表示アイコン１２１０により、ユーザに自己の増減予想の判定結果を容易に把握させることができる。
＜本実施の形態の効果＞
以上説明した本発明の実施の形態によれば、管理サーバ１２０は、実際に過去の相場で取引された情報のうち、ユーザに所望の期間を指定させて取引のシミュレーションを行わせることが可能なバイナリーオプション取引の検証方法を提供できる。
【０１４０】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１４１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１４２】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１４３】
１００……ユーザ端末
１１０……取引情報サーバ
１２０……管理サーバ
１３０……ユーザ情報記憶部
１３１……取引情報記憶部
１３２……検証画面記憶部
１３３……判定結果画面記憶部
１４０……検証画面生成部
１５０……検証画面提供部
１６０……判定部
１７０……判定結果画面生成部
１８０……判定結果画面提供部
２００……ユーザ情報
３００……取引情報
７００……検証画面
１１００…第一判定結果画面
１２００…第二判定結果画面
【要約】      （修正有）【課題】実際に過去の相場で取引された情報のうちユーザに所望の期間を指定させて取引のシミュレーションを行わせるバイナリーオプション取引の検証方法を提供する。【解決手段】バイナリーオプション取引の検証システムにおいて、ユーザ端末１００と、取引情報サーバ１１０と、ユーザ端末１００および取引情報サーバ１１０とネットワークを介して無線通信接続される管理サーバ１２０であって、ユーザ端末１００がユーザから検証画面に含まれる判定入力領域の数値および増加予想タブの押下入力を受け付け、且つ、履歴データを参照し判定終了時刻のチャートの数値が判定開始時刻の数値より高い場合に、または、ユーザ端末１００がユーザから判定入力領域の数値および減少予想タブの押下入力を受け付け、且つ、履歴データを参照し判定終了時刻のチャートの数値が判定開始時刻の数値より低い場合に、判定結果の内容を正解として一時記憶する判定部１６０を有する。【選択図】図１【図１】
0006802596.tif 000002
【図２】
0006802596.tif 000003
【図３】
0006802596.tif 000004
【図４】
0006802596.tif 000005
【図５】
0006802596.tif 000006
【図６】
0006802596.tif 000007
【図７】
0006802596.tif 000008
【図８】
0006802596.tif 000009
【図９】
0006802596.tif 000010
【図１０】
0006802596.tif 000011
【図１１】
0006802596.tif 000012
【図１２】
0006802596.tif 000013
【図１３】
0006802596.tif 000014